(57)【要約】【課題】受信状態の変化に応じてより適切なチャネル切替を実現する。【解決手段】放送受信装置１０は、指定放送局のチャネルの受信感度が基準値未満となる場合、複数の受信部２１〜２４の少なくとも一つに指定放送局のチャネルの選局を継続させ、複数の受信部２１〜２４の別の少なくとも一つに記憶部２８に保持される受信可能チャネルをサーチさせる。ａ）サーチした受信可能チャネルに受信感度が基準値以上のチャネルがあれば、受信感度が基準値以上の中継局のチャネルを選局させ、又は、中継局の候補チャネルをサーチさせる。ｂ）サーチした受信可能チャネルに受信感度が基準値以上のチャネルがなければ、複数の受信部２１〜２４の少なくとも一つに指定放送局の選局を継続させ、複数の受信部２１〜２４の別の少なくとも一つに指定放送局以外のチャネルをサーチさせる。【選択図】図１
2019097135.tif 000002
【特許請求の範囲】
【請求項１】
放送信号を受信する複数の受信部と、
前記複数の受信部の少なくとも一つにユーザが指定する指定放送局のチャネルを選局させ、前記複数の受信部の別の少なくとも一つに指定放送局に対応する中継局の候補チャネルをサーチさせる制御部と、
サーチした候補チャネルのうち受信感度が基準値以上である受信可能チャネルを識別するための情報を保持する記憶部と、
選局中のチャネルで受信した放送内容を再生する再生処理部と、を備え、
前記制御部は、指定放送局のチャネルの受信感度が基準値未満となる場合、前記複数の受信部の少なくとも一つに指定放送局のチャネルの選局を継続させ、前記複数の受信部の別の少なくとも一つに前記記憶部に保持される受信可能チャネルをサーチさせ、
ａ）サーチした受信可能チャネルに受信感度が基準値以上のチャネルがあれば、前記複数の受信部の少なくとも一つに受信感度が基準値以上の中継局のチャネルを選局させ、又は、中継局の候補チャネルをサーチさせ、
ｂ）サーチした受信可能チャネルに受信感度が基準値以上のチャネルがなければ、前記複数の受信部の少なくとも一つに指定放送局の選局を継続させ、前記複数の受信部の別の少なくとも一つに指定放送局以外のチャネルをサーチさせることを特徴とする放送受信装置。
【請求項２】
前記制御部は、ａ）において、前記複数の受信部の全てに同じチャネルを選局又はサーチさせることを特徴とする請求項１に記載の放送受信装置。
【請求項３】
前記記憶部は、受信可能チャネルのうち指定放送局と放送内容が共通する代替可能チャネルを識別するための情報をさらに保持し、
前記制御部は、指定放送局の受信感度が基準値未満となる場合、前記記憶部に保持される受信可能チャネルのうち代替可能チャネルを優先してサーチさせ、
ｉ）サーチした代替可能チャネルの受信感度が基準値以上であれば、前記複数の受信部の少なくとも一つにその代替可能チャネルを選局させ、
ｉｉ）サーチした代替可能チャネルの受信感度が基準値未満であれば、前記記憶部に保持される代替可能チャネル以外の受信可能チャネルをサーチさせることを特徴とする請求項１または２に記載の放送受信装置。
【請求項４】
前記制御部は、ｂ）において、受信感度が基準値以上のチャネルが検出されるまでサーチを継続させることを特徴とする請求項１から３のいずれか一項に記載の放送受信装置。
【請求項５】
前記制御部は、ｂ）において、中継局の候補チャネル以外のチャネルを含めてサーチさせることを特徴とする請求項１から４のいずれか一項に記載の放送受信装置。
【請求項６】
前記制御部は、ｂ）のサーチ中に指定放送局以外で受信感度が基準値以上のチャネルが検出された場合、前記複数の受信部の少なくとも一つに受信感度が基準値以上の中継局のチャネルを選局させ、又は、中継局の候補チャネルをサーチさせることを特徴とする請求項１から５のいずれか一項に記載の放送受信装置。
【請求項７】
前記制御部は、サーチ中に指定放送局の受信感度が基準値以上に回復した場合、前記複数の受信部の少なくとも一つに指定放送局の選局を継続させ、前記複数の受信部の別の少なくとも一つに中継局の候補チャネルをサーチさせることを特徴とする請求項１から６のいずれか一項に記載の放送受信装置。
【請求項８】
複数の受信部の少なくとも一つにユーザが指定する指定放送局のチャネルを選局させ、前記複数の受信部の別の少なくとも一つに指定放送局に対応する中継局の候補チャネルをサーチさせ、サーチした候補チャネルのうち受信感度が基準値以上である受信可能チャネルを識別するステップと、
前記指定放送局の受信感度が基準値未満となる場合に、前記複数の受信部の少なくとも一つに指定放送局の選局を継続させ、前記複数の受信部の別の少なくとも一つに前記識別された受信可能チャネルをサーチさせるステップと、
ａ）サーチした受信可能チャネルに受信感度が基準値以上のチャネルがあれば、前記複数の受信部の少なくとも一つに受信感度が基準値以上の中継局のチャネルを選局させ、又は、中継局の候補チャネルをサーチさせ、ｂ）サーチした受信可能チャネルに受信感度が基準値以上のチャネルがなければ、前記複数の受信部の少なくとも一つに指定放送局の選局を継続させ、前記複数の受信部の別の少なくとも一つに指定放送局以外のチャネルをサーチさせるステップと、を備えることを特徴とする放送受信方法。
【請求項９】
複数の受信部の少なくとも一つにユーザが指定する指定放送局のチャネルを選局させ、前記複数の受信部の別の少なくとも一つに指定放送局に対応する中継局の候補チャネルをサーチさせ、サーチした候補チャネルのうち受信感度が基準値以上である受信可能チャネルを識別する機能と、
前記指定放送局の受信感度が基準値未満となる場合に、前記複数の受信部の少なくとも一つに指定放送局の選局を継続させ、前記複数の受信部の別の少なくとも一つに前記識別された受信可能チャネルをサーチさせる機能と、
ａ）サーチした受信可能チャネルに受信感度が基準値以上のチャネルがあれば、前記複数の受信部の少なくとも一つに受信感度が基準値以上の中継局のチャネルを選局させ、又は、中継局の候補チャネルをサーチさせ、ｂ）サーチした受信可能チャネルに受信感度が基準値以上のチャネルがなければ、前記複数の受信部の少なくとも一つに指定放送局の選局を継続させ、前記複数の受信部の別の少なくとも一つに指定放送局以外のチャネルをサーチさせる機能と、をコンピュータに実現させることを特徴とするプログラム。
【発明の詳細な説明】
【技術分野】
【０００１】
本発明は、放送受信装置および放送受信方法に関する。
【背景技術】
【０００２】
車載用のテレビでは、搭載される車両の移動とともにテレビ放送信号の受信状態や受信可能な放送局が変化しうる。異なる放送エリア内に入ることで一部チャネルの受信状態が悪化したり、トンネル内に入ることで全チャネルの受信状態が悪化したりする。このような場合にその後に適切なチャネルが自動選局されることが好ましい。例えば、サーチ処理を複数回実行し、複数回のサーチ結果を比較することで最適なチャネルを選択する技術が知られている（例えば、特許文献１参照）。
【先行技術文献】
【特許文献】
【０００３】
【特許文献１】特開２０１４−１１６６９２号公報
【発明の概要】
【発明が解決しようとする課題】
【０００４】
受信状態が悪化した場合に複数回のサーチ結果を取得してから最適なチャネルを選択する場合、複数回のサーチが終了するまでの処理時間が長くなる。より短い時間で最適なチャネルを選択できることが好ましい。
【０００５】
本発明は、上述の事情に鑑みてなされたものであり、受信状態の変化に応じてより適切なチャネル切替を実現する技術を提供することを目的とする。
【課題を解決するための手段】
【０００６】
本発明のある態様の放送受信装置は、放送信号を受信する複数の受信部と、複数の受信部の少なくとも一つにユーザが指定する指定放送局のチャネルを選局させ、複数の受信部の別の少なくとも一つに指定放送局に対応する中継局の候補チャネルをサーチさせる制御部と、サーチした候補チャネルのうち受信感度が基準値以上である受信可能チャネルを識別するための情報を保持する記憶部と、選局中のチャネルで受信した放送内容を再生する再生処理部と、を備える。制御部は、指定放送局のチャネルの受信感度が基準値未満となる場合、複数の受信部の少なくとも一つに指定放送局のチャネルの選局を継続させ、複数の受信部の別の少なくとも一つに記憶部に保持される受信可能チャネルをサーチさせる。ａ）サーチした受信可能チャネルに受信感度が基準値以上のチャネルがあれば、複数の受信部の少なくとも一つに受信感度が基準値以上の中継局のチャネルを選局させ、又は、中継局の候補チャネルをサーチさせる。ｂ）サーチした受信可能チャネルに受信感度が基準値以上のチャネルがなければ、複数の受信部の少なくとも一つに指定放送局の選局を継続させ、複数の受信部の別の少なくとも一つに指定放送局以外のチャネルをサーチさせる。
【０００７】
本発明の別の態様は、放送受信方法である。この方法は、複数の受信部の少なくとも一つにユーザが指定する指定放送局のチャネルを選局させ、複数の受信部の別の少なくとも一つに指定放送局に対応する中継局の候補チャネルをサーチさせ、サーチした候補チャネルのうち受信感度が基準値以上である受信可能チャネルを識別するステップと、指定放送局の受信感度が基準値未満となる場合に、複数の受信部の少なくとも一つに指定放送局の選局を継続させ、複数の受信部の別の少なくとも一つに識別された受信可能チャネルをサーチさせるステップと、ａ）サーチした受信可能チャネルに受信感度が基準値以上のチャネルがあれば、複数の受信部の少なくとも一つに受信感度が基準値以上の中継局のチャネルを選局させ、又は、中継局の候補チャネルをサーチさせ、ｂ）サーチした受信可能チャネルに受信感度が基準値以上のチャネルがなければ、複数の受信部の少なくとも一つに指定放送局の選局を継続させ、複数の受信部の別の少なくとも一つに指定放送局以外のチャネルをサーチさせるステップと、を備える。
【０００８】
なお、以上の構成要素の任意の組合せや本発明の構成要素や表現を、方法、装置、システムなどの間で相互に置換したものもまた、本発明の態様として有効である。
【発明の効果】
【０００９】
本発明によれば、受信状態の変化に応じてより適切にチャネルを切り替えできる。
【図面の簡単な説明】
【００１０】
【図１】放送受信装置の機能構成を模式的に示すブロック図である。
【図２】放送受信方法の流れを模式的に示すフローチャートである。
【図３】放送受信方法の流れを模式的に示すフローチャートである。
【発明を実施するための形態】
【００１１】
以下、本発明の実施の形態について、図面を参照しつつ説明する。かかる実施の形態に示す具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
図１は、放送受信装置１０の機能構成を模式的に示すブロック図である。図示する各機能ブロックは、ハードウェア的には、コンピュータのＣＰＵやメモリをはじめとする素子や機械装置で実現でき、ソフトウェア的にはコンピュータプログラム等によって実現されるが、ここでは、それらの連携によって実現される機能ブロックとして描いている。したがって、これらの機能ブロックはハードウェア、ソフトウェアの組み合わせによっていろいろなかたちで実現できることは、当業者には理解されるところである。
【００１３】
放送受信装置１０は、デジタルテレビ放送を受信するための装置であり、車両などの移動体に搭載して用いられる車載用のデジタルテレビ受信装置である。放送受信装置１０が受信した放送内容は、表示装置３０およびスピーカ３２を通じて再生される。ユーザは、入力装置３４を通じて視聴しようとする放送局またはチャネルを選択する。選択したチャネルの受信感度が良好であれば、指定したチャネルの放送内容が表示ないし出力される。
【００１４】
放送受信装置１０は、受信回路部１２と、再生処理部１４と、制御部２０と、記憶部２８とを備える。放送受信装置１０は、表示装置３０、スピーカ３２および入力装置３４と接続されている。表示装置３０は、液晶ディスプレイ等であり、車両のセンターコンソールやダッシュボードの位置に取り付けられる。スピーカ３２は、車載スピーカや表示装置３０に隣接して設けられるスピーカなどである。入力装置３４は、例えば、タッチパネル式のセンサであり、表示装置３０の表示領域に設けられる。入力装置３４はタッチ式ではなく、表示装置３０の周辺に配置されるボタン等で構成されてもよい。
【００１５】
受信回路部１２は、第１受信部２１、第２受信部２２、第３受信部２３、第４受信部２４、第１復調部２５および第２復調部２６を有する。複数の受信部２１〜２４のそれぞれには異なるアンテナが接続されており、各アンテナを通じて選局されたチャネルの放送信号を受信する。複数の受信部２１〜２４のそれぞれは、例えば、地上デジタル放送信号を受信するよう構成される。
【００１６】
第１復調部２５は、第１受信部２１および第２受信部２２と接続されており、第１受信部２１および第２受信部２２が受信した放送信号を復調する。第２復調部２６は、第３受信部２３および第４受信部２４と接続されており、第３受信部２３および第４受信部２４が受信した放送信号を復調する。複数の復調部２５，２６のそれぞれは、例えば、受信した地上デジタル放送信号からトランスポートストリーム（ＴＳ）信号を生成するよう構成される。
【００１７】
第１復調部２５は、第１受信部２１の受信信号と第２受信部２２の受信信号を合成して復調するよう構成され、いわゆる２ダイバーシティ受信方式で復調信号を生成するよう構成される。同様に、第２復調部２６は、第３受信部２３の受信信号と第３受信部２３の受信信号を合成して復調可能となるよう構成される。ダイバーシティ受信方式を用いることで、搭載される車両の移動中の受信性能を向上させることができる。
【００１８】
なお、受信回路部１２は、３以上のダイバーシティ受信が実現できるよう構成されてもよいし、ダイバーシティ受信を用いないように構成されてもよい。ダイバーシティ受信を用いない場合、一つの受信部に対して一つの復調部が設けられるよう構成されてもよい。また、受信信号の感度に応じて、ダイバーシティ受信方式を切り替えるよう構成されてもよく、例えば、受信信号の感度が低い場合に、四つの受信部２１〜２４の受信信号を合成して復調するよう構成されてもよい。
【００１９】
再生処理部１４は、第１復調部２５および第２復調部２６が生成したＴＳ信号から放送内容を再生する。再生処理部１４は、映像処理部１６と、音声処理部１８とを有する。映像処理部１６は、取得するＴＳ信号から映像データを抽出し、抽出した映像データに基づく映像を表示装置３０に表示させる。音声処理部１８は、取得するＴＳ信号から音声データを抽出し、抽出した音声データに基づく音声をスピーカ３２に出力させる。
【００２０】
再生処理部１４は、ＴＳ信号に含まれる番組情報やデータ放送用情報などを抽出し、抽出した情報を表示装置３０に表示するための表示画面を生成する。再生処理部１４は、入力装置３４を通じたユーザの入力操作を可能にするための操作画面を生成する。例えば、ユーザによるチャネルの選局操作、表示装置３０の輝度調整、スピーカ３２の音量調整を実現するための操作画面を生成する。また、再生処理部１４は、選局中のチャネルが受信できない場合に受信不可などのエラーを通知するための表示画面を生成する。再生処理部１４は、選局中のチャネルが受信不可となった場合、その直前に受信できていた画像を静止画として継続表示させてもよいし、黒色などの単一色の静止画を継続表示させてもよい。
【００２１】
制御部２０は、受信回路部１２および再生処理部１４の動作を制御する。制御部２０は、ユーザが指定する放送局（指定放送局ともいう）のチャネルを受信回路部１２に選局させ、指定放送局のチャネルで受信した放送内容が再生されるようにする。制御部２０は、搭載される車両の移動により放送エリアが切り替わる場合であっても、スムーズな切替が可能となるように、指定放送局に対応する系列局や中継局をあらかじめサーチして特定する。放送エリアの切替時には、受信感度のより高い放送局に自動切替することで、視聴中のチャネルがシームレスに表示されるようにする。
【００２２】
ここで、中継局とは、親放送局の電波を受信して増幅したものを放送する放送局のことをいう。中継局は、親放送局と同じ物理チャネル（周波数帯域）に対して同じ放送内容の電波を出力することもあれば、異なる物理チャネルに対して同じ放送内容の電波を出力することもある。一方、系列局とは主要放送局（キー局）のいずれかと同じネットワーク系列に属する各地方ごとの放送局のことをいう。系列局は、主要放送局と同じ物理チャネルまたは異なる物理チャネルを使用し、放送時間帯に応じて主要放送局と共通する放送内容や系列局ごとに独自の放送内容の電波を出力する。
【００２３】
日本の地上デジタル放送では、１３ｃｈ〜５２ｃｈの物理チャネルが使用される。使用される具体的な物理チャネルの組み合わせは放送地域によって異なるため、特定の放送局の放送内容を受信するためには、放送地域に応じて選局する物理チャネルを適切に選ぶ必要がある。親放送局から送信される放送信号には、自局に対応する中継局の物理チャネルの一覧を示す中継局リスト情報が含まれていることがあり、中継局リストを取得することでサーチすべき中継局の候補チャネルを絞り込むことができる。また、放送信号から復調されるＴＳ信号には放送局を特定するための識別情報（例えばＴＳＩＤ）が含まれており、その識別情報を参照することで放送局を特定できる。親放送局とその中継局は共通のＴＳＩＤが付与されるため、ＴＳＩＤが一致する物理チャネルをサーチすることで、指定放送局に対応する中継局のチャネルをあらかじめ特定できる。なお、系列局の場合には異なるＴＳＩＤが付与される。この場合、各放送局の系列関係を定めるＴＳＩＤのテーブル情報などをあらかじめ保持し、保持するテーブル情報を参照することで指定放送局に対応する系列局のチャネルを特定できる。このようにしてＴＳＩＤを比較することで、放送内容が共通する中継局または系列局のチャネルを特定できる。
【００２４】
制御部２０は、複数の受信部２１〜２４の少なくとも一つに指定放送局のチャネルを選局させ、複数の受信部２１〜２４の別の少なくとも一つに指定放送局に対応する中継局または系列局のチャネルをサーチさせる。制御部２０は、例えば、第１受信部２１および第２受信部２２に指定放送局のチャネルを選局させ、第３受信部２３および第４受信部２４に中継局または系列局のチャネルをサーチさせる。第３受信部２３および第４受信部２４は、受信可能なチャネルをサーチし、第２復調部２６は、巡回選局された各チャネルのＴＳ信号を復調する。
【００２５】
制御部２０は、復調されたＴＳ信号から指定放送局に対応する中継局または系列局のチャネルを特定する。制御部２０は、例えば、第１復調部２５にて復調されるＴＳ信号から指定放送局の中継局リストを取得し、中継局リストに含まれる物理チャネルを中継局の候補チャネルとする。制御部２０は、中継局リストに含まれる物理チャネルを順番にサーチさせ、受信可能な中継局のチャネルを特定する。制御部２０は、各放送局の系列関係が定められたテーブル情報をあらかじめ保持し、保持するテーブル情報を参照して対応する中継局または系列局の候補チャネルを特定してもよい。
【００２６】
制御部２０は、受信回路部１２から受信可能なチャネルの受信感度に関する情報を取得する。制御部２０は、例えば、第１受信部２１および第２受信部２２が受信する指定放送局のチャネルの受信感度と、第３受信部２３および第４受信部２４が受信する中継局または系列局の候補チャネルの受信感度を取得する。制御部２０は、取得した受信感度が所定の基準値以上であれば、受信可能な状態であると判定し、取得した受信感度が所定の基準値未満であれば、受信不能な状態であると判定する。放送信号の受信感度は、例えば、放送信号の搬送波対雑音比（Ｃ／Ｎ比）の値に基づいて判定される。
【００２７】
制御部２０は、中継局や系列局の候補チャネルのサーチ結果を記憶部２８に保持させる。制御部２０は、中継局リストに含まれる物理チャネルを「候補チャネル」として記憶部２８に登録する。制御部２０は、候補チャネルのうちサーチにより受信感度が基準値以上と確認されたチャネルを「受信可能チャネル」として記憶部２８に登録する。制御部２０は、受信可能チャネルのうち放送内容が指定放送局と共通するチャネルを「代替可能チャネル」として記憶部２８に登録する。代替可能チャネルに該当するか否かは、視聴中のチャネルのＴＳＩＤと、サーチしたチャネルのＴＳＩＤとが一致または対応するか否かにより判定される。記憶部２８は、サーチ結果の一つとして各チャネルの受信感度の値（例えばＣ／Ｎ比値）を併せて保持してもよい。
【００２８】
制御部２０は、視聴中のチャネルの受信感度と、サーチしたチャネルの受信感度とに応じて、選局するチャネルを決める。制御部２０は、視聴中のチャネルの受信感度が基準値以上であり受信可能な状態であれば、視聴中のチャネル、つまり、ユーザが指定する指定放送局を継続して選局する。制御部２０は、視聴中のチャネルの受信感度が基準値未満であり受信不能な状態であれば、記憶部２８に保持される「代替可能チャネル」の受信感度を再確認する。より具体的には、第３受信部２３および第４受信部２４に「代替可能チャネル」を選局させ、そのチャネルの受信感度に関する情報を取得する。再確認した代替可能チャネルの受信感度が基準値以上であり受信可能な状態であれば、そのチャネルを選局し、選局したチャネルで受信した放送内容が再生されるようにする。これにより、受信感度が良好な中継局または系列局に切り替えて放送内容を安定的に再生できる。
【００２９】
一方、再確認した代替可能チャネルの受信感度も基準値未満であり受信不能な状態であれば、代替可能チャネル以外の「受信可能チャネル」の受信感度を再確認する。ここで、代替可能チャネル以外の受信可能チャネルとは、視聴中チャネルの受信中にサーチ対象とされた候補チャネルのうち、受信感度が基準値以上で受信可能であり、かつ、視聴中チャネルの中継局または系列局ではないチャネルである。例えば、別の放送地域では、中継局または系列局のチャネルとして使用されているものの、現在の放送地域では別系列の放送局のチャネルとして使用されるようなチャネルである。本明細書において代替可能チャネル以外の受信可能チャネルのことを「代替不可チャネル」ともいう。
【００３０】
制御部２０は、再確認した代替不可チャネルの受信感度が基準値未満であれば、搭載する車両がトンネルや地下施設などの放送電波が届かない場所に入って「受信不可状態」になったものと判断する。受信不可状態の場合、チャネルを自動切替したとしても切替後のチャネルも視聴不能であるため、チャネル切替のメリットがない。また、トンネルや地下施設から抜け出して視聴可能な状態に回復した場合、視聴不能になる直前の状況と同様、つまり、指定放送局の受信感度が良好である可能性が高いと考えられる。この場合に、視聴中チャネルから中継局または系列局のチャネルに自動切替してしまうと、受信可能になった後に指定放送局を再選局しなければならず、視聴チャネルが再生される状態に復帰するまでの時間が長くなってしまう。そこで、本実施の形態では、視聴中のチャネルとサーチしたチャネルの双方が受信不能な場合、チャネルの自動切替をせずに元のチャネルを継続して選局しておく。これにより、受信可能になったタイミングから選局中のチャネルの放送内容を再生できる。これにより、受信状態が回復してから視聴可能な状態に復帰するまでの時間を短縮化し、ユーザの利便性を向上させることができる。
【００３１】
制御部２０は、上述の「受信不可状態」になった場合、複数の受信部２１〜２４の少なくとも一つに指定放送局のチャネルの選局を継続させ、複数の受信部２１〜２４の別の少なくとも一つに全チャネルを対象としてサーチさせる。日本の地上波デジタル放送であれば、例えば、１３ｃｈ〜５２ｃｈの物理チャネルを順番にサーチさせる。なお、選局中の指定放送局はサーチ対象から除外してもよい。サーチ中に指定放送局の受信感度が回復した場合には「受信不可状態」を解除し、指定放送局のチャネルの選局を継続して受信する放送内容を再生させるとともに、代替可能チャネルを特定するための中継局サーチを再開させる。これにより、受信不可状態が解除されてから速やかに元の視聴中チャネルの再生を開始させることができる。
【００３２】
一方、指定放送局のチャネルが受信不可のまま、サーチ中に指定放送局以外のいずれかのチャネルの受信感度が基準値以上となった場合には「受信不可状態」を解除し、指定放送局の選局を中止して、代替可能チャネルを特定するための中継局サーチを開始する。放送信号が受信可能であるものの指定放送局のチャネルが受信不可であるため、トンネルなどを抜けて異なる放送地域に入ったと考えられるためである。このとき、複数の受信部２１〜２４の全てを用いて中継局サーチを開始することで、中継局の候補チャネルの受信感度を高めることができ、一部の受信部のみを用いる場合よりも早期に代替可能チャネルを見つけることができる。サーチにより代替可能チャネルが見つかった場合、そのチャネルを選局させて受信する放送内容を再生させる。さらに、選局したチャネルの中継局リストを新たに取得し、そのリストに基づいて中継局サーチを開始させる。
【００３３】
図２は、放送受信方法の流れを模式的に示すフローチャートである。放送受信装置１０は、ユーザから指定された放送局を選局し、受信した放送内容を再生し（Ｓ１０）、中継局リストを取得する（Ｓ１２）。指定放送局の受信感度が基準値以上であって受信可能であれば（Ｓ１４のＹ）、中継局リストの中でサーチ対象となるチャネルを選択し（Ｓ１６）、一部の受信部で指定放送局を選局しつつ、別の受信部で対象チャネルをサーチする（Ｓ１８）。サーチ対象の受信感度が基準値以上であって受信可能であれば（Ｓ２０のＹ）、そのチャネルを受信可能チャネルとして記憶部２８に登録し（Ｓ２２）、サーチ対象の放送内容が視聴中チャネルと共通していれば（Ｓ２４のＹ）、そのチャネルを代替可能チャネルとして記憶部２８に登録する（Ｓ２４）。サーチ対象の受信感度が基準値未満であって受信不可であれば（Ｓ２０のＮ）、Ｓ２２〜Ｓ２６の処理をスキップし、サーチ対象の放送内容が視聴中チャネルと共通していなければ（Ｓ２４のＮ）、Ｓ２６の処理をスキップする。視聴中チャネルが受信可能な状況が継続すれば（Ｓ１４のＹ）、サーチ対象を中継局リスト内で更新し（Ｓ１６）、中継局リストに含まれる一以上のチャネルを対象としてＳ１６〜Ｓ２６の処理を繰り返し実行する。これにより、視聴中チャネルに対応する「受信可能チャネル」および「代替可能チャネル」の情報が最新に保たれる。
【００３４】
指定放送局の受信感度が基準値未満に低下して受信不可となった場合（Ｓ１４のＮ）、
記憶部２８に代替可能チャネルが登録されているかを確認し（Ｓ３０）、代替可能チャネルが登録されていれば（Ｓ３０のＹ）、その代替可能チャネルをサーチして受信感度を再確認する（Ｓ３２）。サーチ対象の代替可能チャネルの受信感度が基準値以上であって受信可能であり（Ｓ３４のＹ）、指定放送局が受信不可のままであれば（Ｓ３６のＹ）、代替可能チャネルを選局し（Ｓ３８）、フローの最初に戻って、その放送内容を再生する（Ｓ１０）。指定放送局の受信感度が回復して受信可能となれば（Ｓ３６のＮ）、Ｓ３８の処理をスキップし、回復した指定放送局の放送内容を再生する（Ｓ１０）。一方、代替可能チャネルが登録されていない場合（Ｓ３０のＮ）や、代替可能チャネルの受信感度が基準値未満であって受信不可の場合（Ｓ３４のＮ）は、図３に示すフロー（Ａ）につづく。
【００３５】
図３は、放送受信方法の流れを模式的に示すフローチャートであり、図２のつづきを示す。図２にて代替可能チャネルが登録されていない場合（Ｓ３０のＮ）、または、代替可能チャネルが受信不可の場合（Ｓ３４のＮ）、記憶部２８に代替可能チャネル以外の受信可能チャネル（つまり、代替不可チャネル）が登録されているかを確認する（Ｓ４０）。受信可能チャネルが登録されていれば（Ｓ４０のＹ）、その受信可能チャネルをサーチして受信感度を再確認する（Ｓ４２）。受信可能チャネルが複数登録されている場合、いずれか一つの受信感度を確認してもよいし、受信感度が基準値以上のチャネルが見つかるまで複数のチャネルを順にサーチしてもよい。サーチ対象の受信可能チャネルの受信感度が基準値未満であって受信不可であり（Ｓ４４のＹ）、指定放送局が受信不可のままであれば（Ｓ４６のＹ）、全チャネル（例えば、１３ｃｈ〜５２ｃｈ）の中からサーチ対象を選択し（Ｓ４８）、対象チャネルをサーチして受信感度を確認する（Ｓ５０）。このとき、一部の受信部は指定放送局を選局したままであり、別の受信部で全チャネルをサーチする。全チャネルサーチの対象から指定放送局のチャネルが除外されてもよい。サーチ対象が受信可能となるか（Ｓ４４のＮ）、指定放送局が受信可能となる（Ｓ４６のＮ）まで、サーチ対象のチャネルを順番に更新し（Ｓ４８）、対象チャネルをサーチする（Ｓ５０）。Ｓ４４〜Ｓ５０の処理が繰り返される状況は、上述の「受信不可状態」である。なお、サーチ中に指定放送局の受信感度が回復した場合（Ｓ４６のＮ）、図２のフローの最初に戻って、回復した指定放送局の放送内容を再生する（Ｓ１０）。
【００３６】
一方、受信可能チャネルが登録されていない場合（Ｓ４０のＮ）や、再確認した受信可能チャネルや全チャネルサーチのサーチ対象の受信感度が基準値以上であって受信可能であれば（Ｓ４４のＮ）、指定放送局が受信可能であるかを確認する（Ｓ５２）。指定放送局が受信不可であれば（Ｓ５２のＹ）、指定放送局の選局を中止し（Ｓ５４）、中継局リストの中で巡回サーチする（Ｓ５６）。巡回サーチにより代替可能チャネルが見つかれば（Ｓ５８のＹ）、代替可能チャネルを選局し（Ｓ６０）、図２のフローの最初に戻って、その放送内容を再生する（Ｓ１０）。巡回サーチにより代替可能チャネルが見つからなければ（Ｓ５８のＮ）、代替可能チャネルが見つかるまでＳ５４、Ｓ５６の処理を繰り返す。なお、Ｓ５４の処理は、上述の図２に示すＳ１４〜Ｓ２６の中継局サーチの処理と同様であり、中継局リストの中から代替可能チャネルが特定されるまで繰り返される。なお、Ｓ５２において指定放送局の受信感度が回復して受信可能になれば（Ｓ５２のＮ）、図２のフローの最初に戻って、回復した指定放送局の放送内容を再生する（Ｓ１０）。
【００３７】
本実施の形態によれば、指定放送局の受信感度が低下した場合、サーチ対象とするチャネル数を段階的に増やしていくことで、放送波の全てが届かない「受信不可状態」となったか否かをより適切に判断できる。第１段階として代替可能チャネルを優先してサーチすることで、代替可能チャネルが利用可能な状況であれば、受信可能な中継局に迅速に切替することができる。代替可能チャネルが受信不可であっても、第２段階として「受信可能チャネル」に限定して受信感度を再確認することで、「受信不可状態」となったか否かを比較的短い時間で精度良く判定できる。受信可能チャネルは、直前まで受信可能であったことが確認されているチャネルであるため、指定放送局のチャネルと受信可能チャネルの双方が受信不能となる状況は「受信不可状態」である可能性が非常に高い。また、中継局リストに含まれる限定されたチャネルのみを再確認対象とするため、サーチに要する時間も短くて済む。このような第１段階および第２段階のサーチ処理を実行することで、短時間かつ高精度で受信不可状態であるか否かを判定できる。さらに、受信可能チャネルも受信不可である場合に、第３段階の全チャネルサーチを実行することで、「受信不可状態」であるかを確実に判定できる。
【００３８】
本実施の形態によれば、第１段階、第２段階および第３段階のサーチを一部の受信部を用いて実行し、別の受信部では指定放送局の選局を継続するため、指定放送局が受信可能な状態に回復した場合にその放送内容の再生を即時に再開できる。これにより、受信状態の変化によって放送内容が途切れてしまう時間を極力短くすることができ、ユーザの利便性を高めることができる。
【００３９】
本実施の形態によれば、指定放送局が受信不可であるものの「受信不可状態」ではない場合、全ての受信部を用いて中継局サーチをするため、切替可能な中継局のチャネルの検出精度を上げることができる。例えば、切替対象となる中継局の受信感度が低い場合であっても、視聴時のアンテナ数（例えば２本）よりも多くのアンテナ数（例えば３本または４本）を用いることで中継局を検出しやすくできる。これにより、視聴中チャネルと中継局チャネルのいずれの放送内容も再生されない時間を極力短くすることができ、ユーザの利便性を高めることができる。
【００４０】
以上、本発明を上述の実施の形態を参照して説明したが、本発明は上述の実施の形態に限定されるものではなく、各表示例に示す構成を適宜組み合わせたものや置換したものについても本発明に含まれるものである。
【００４１】
上述の実施の形態では、指定放送局を一部の受信部で選局し、別の受信部で中継局リストをサーチする場合を示した。変形例においては、指定放送局の受信感度が上述の基準値以上であるものの相対的に低い値の場合、指定放送局を全ての受信部で選局し、中継局リストのサーチを中止してもよい。その後、指定放送局の受信感度が高くなった場合に一部の受信部のみに指定放送局を選局させ、別の受信部で中継局リストをサーチするようにしてもよい。
【００４２】
上述の実施の形態では、指定放送局が受信不可であって指定放送局以外に受信可能なチャネルがある場合、指定放送局の選局を中止させる場合（例えばＳ５２）を示した。変形例においては、指定放送局が受信不可であって指定放送局以外に受信可能なチャネルがある場合、一部の受信部で指定放送局の選局を継続させ、別の受信部で中継局リストを巡回サーチするようにしてもよい。
【００４３】
図２及び図３に示すフローチャートでは、指定放送局から中継局への切替について例示したが、中継局のみならず系列局への自動切替がなされるようにしてもよい。この場合、中継局リストのみを対象とする中継局サーチの代わりに、中継局リストに加えて系列局リストを対象とする中継局／系列局サーチを実行してもよい。また、代替可能チャネルや受信可能チャネルとして、指定放送局に対応する系列局のチャネルが含まれてもよい。
【００４４】
上述の実施の形態では、地上デジタル放送を受信するための放送受信装置１０について説明した。変形例においては、地上デジタル放送以外の放送を受信するための放送受信装置に上述の内容を適用してもよい。例えば、ラジオ放送を受信するための放送受信装置において、上述の中継局または系列局への自動切替や、段階的なサーチ処理方法を適用してもよい。
【符号の説明】
【００４５】
１０…放送受信装置、１２…受信回路部、１４…再生処理部、１６…映像処理部、１８…音声処理部、２０…制御部、２１…第１受信部、２２…第２受信部、２３…第３受信部、２４…第４受信部、２５…第１復調部、２６…第２復調部、２８…記憶部、３０…表示装置、３２…スピーカ、３４…入力装置。
【図１】
2019097135.tif 000003
【図２】
2019097135.tif 000004
【図３】
2019097135.tif 000005